【手続補正書】
【提出日】平成19年11月6日(2007.11.6)
【手続補正１】
【補正対象書類名】明細書
【補正対象項目名】特許請求の範囲
【補正方法】変更
【補正の内容】
【特許請求の範囲】
【請求項１】洗浄用ノズルから洗浄水を噴出可能な衛生洗浄装置におけるノズル機構において、
前記洗浄用ノズルを所定位置に駆動するためのノズル駆動手段と、前記洗浄用ノズル内に形成された複数の水路を切り替えて水または温水を送出可能な流路切替弁と、当該流路切替弁を駆動するための弁駆動手段と、動力源とを備え、
前記動力源は、前記ノズル駆動手段および前記弁駆動手段により共用されるものであり、前記動力源から前記ノズル駆動手段または前記弁駆動手段のいずれか一方への動力伝達経路を接続すると、前記ノズル駆動手段または前記弁駆動手段の他方への動力伝達経路が切断されるようにしたクラッチ手段を備えたことを特徴とする衛生洗浄装置におけるノズル機構。
【請求項２】前記動力源から前記洗浄用ノズルへの第１動力伝達経路を構成可能な第１動力伝達軸と、前記動力源から前記流路切替弁への第２動力伝達経路を構成可能な第２動力伝達軸とを有し、
前記第１動力伝達軸は、前記第１動力伝達経路を構成すべく当該第１動力伝達経路内にある第１位置と、前記第１動力伝達経路外にある第２位置との間を移動可能なものであり、
前記クラッチ手段は、前記第１動力伝達軸を前記第１位置に移動するとともに、前記第２動力伝達軸を前記第２動力伝達経路外に移動する一方、前記第１動力伝達軸を第２位置に移動するとともに、前記第２動力伝達軸を前記第２動力伝達経路内に移動するものであることを特徴とする請求項１に記載の衛生洗浄装置におけるノズル機構。
【請求項３】前記クラッチ手段は、前記第１動力伝達軸を前記第２位置から前記第１位置の方向へ付勢する付勢力に抗して、前記第１動力伝達軸を前記第１位置から前記第２位置に駆動するものであることを特徴とする請求項２に記載の衛生洗浄装置におけるノズル機構。
【請求項４】前記クラッチ手段は、前記洗浄用ノズルと共に移動するクラッチ部材を有していることを特徴とする請求項３に記載の衛生洗浄装置におけるノズル機構。
【請求項５】前記ノズル駆動手段は、前記洗浄用ノズルと共に移動可能なナット部材と、当該ナット部材が螺合し、前記ノズル機構の本体に支持され、前記ナット部材に対して相対的に回転することにより、前記洗浄用ノズルを所定位置に駆動可能にしたスクリュー部材とを備え、
前記クラッチ手段のクラッチ部材は、前記洗浄用ノズルと一体的に形成されていることを特徴とする請求項４に記載の衛生洗浄装置におけるノズル機構。
【請求項６】前記第１動力伝達軸と一体的に回転する第１ギアと、前記第２動力伝達軸と一体的に回転する第２ギアとを備え、
前記第１ギアと前記第２ギアとは、相互に噛合して、前記第２動力伝達経路を構成可能なものであることを特徴とする請求項２、３、４または５に記載の衛生洗浄装置におけるノズル機構。
【請求項７】前記流路切替弁は、前記洗浄用ノズル内に形成された複数の水路に水または温水を切り替えて送出可能なものであって、１または２以上の通水孔がそれぞれ形成されたステータと、ロータとを有し、
前記第２動力伝達軸は、前記ロータおよび前記ステータの各所定の通水孔を合わせるべく前記ロータを所定の角度位置に回動するものであることを特徴とする請求項２、３、４、５または６に記載の衛生洗浄装置におけるノズル機構。
【請求項８】前記第１動力伝達軸と一体的に回転する第１ギアと、前記第２動力伝達軸と一体的に回転する第２ギアとは、相互に噛合していて、前記第２動力伝達経路を構成可能なものであり、
前記第２ギアは、前記ロータの角度位置を検出する際に用いられる被検出部を有していることを特徴とする請求項７に記載の衛生洗浄装置におけるノズル機構。
【手続補正２】
【補正対象書類名】明細書
【補正対象項目名】０００６
【補正方法】変更
【補正の内容】
【０００６】
【課題を解決するための手段】かかる目的を達成するための本発明の要旨とするところは、次の各項の発明に存する。
［１］洗浄用ノズル（４０）から洗浄水を噴出可能な衛生洗浄装置（１０）におけるノズル機構（３０）において、前記洗浄用ノズル（４０）を所定位置に駆動するためのノズル駆動手段（４００）と、前記洗浄用ノズル（４０）内に形成された複数の水路（４５〜４７）を切り替えて水または温水を送出可能な流路切替弁（５０）と、当該流路切替弁（５０）を駆動するための弁駆動手段（５００）と、動力源（６０）とを備え、前記動力源（６０）は、前記ノズル駆動手段（４００）および前記弁駆動手段（５００）により共用されるものであり、前記動力源（６０）から前記ノズル駆動手段（４００）または前記弁駆動手段（５００）のいずれか一方への動力伝達経路を接続すると、前記ノズル駆動手段（４００）または前記弁駆動手段（５００）の他方への動力伝達経路が切断されるようにしたクラッチ手段（６００）を備えたことを特徴とする衛生洗浄装置（１０）におけるノズル機構（３０）。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
［２］前記動力源（６０）から前記洗浄用ノズル（４０）への第１動力伝達経路を構成可能な第１動力伝達軸（４３０）と、前記動力源（６０）から前記流路切替弁（５０）への第２動力伝達経路を構成可能な第２動力伝達軸（５３０）とを有し、前記第１動力伝達軸（４３０）は、前記第１動力伝達経路を構成すべく当該第１動力伝達経路内にある第１位置と、前記第１動力伝達経路外にある第２位置との間を移動可能なものであり、前記クラッチ手段（６００）は、前記第１動力伝達軸（４３０）を前記第１位置に移動するとともに、前記第２動力伝達軸（５３０）を前記第２動力伝達経路外に移動する一方、前記第１動力伝達軸（４３０）を前記第２位置に移動するとともに、前記第２動力伝達軸（５３０）を前記第２動力伝達経路内に移動するものであることを特徴とする［１］に記載の衛生洗浄装置（１０）におけるノズル機構（３０）。
【手続補正５】
【補正対象書類名】明細書
【補正対象項目名】０００９
【補正方法】変更
【補正の内容】
【０００９】
［３］前記クラッチ手段（６００）は、前記第１動力伝達軸（４３０）を前記第２位置から前記第１位置の方向へ付勢する付勢力に抗して、前記第１動力伝達軸（４３０）を前記第１位置から前記第２位置に移動するものであることを特徴とする［２］に記載の衛生洗浄装置（１０）におけるノズル機構（３０）。
【手続補正６】
【補正対象書類名】明細書
【補正対象項目名】００１０
【補正方法】変更
【補正の内容】
【００１０】
［４］前記クラッチ手段（６００）は、前記洗浄用ノズル（４０）と共に移動するクラッチ部材（６１０）を有していることを特徴とする［３］に記載の衛生洗浄装置（１０）におけるノズル機構（３０）。
【手続補正７】
【補正対象書類名】明細書
【補正対象項目名】００１１
【補正方法】変更
【補正の内容】
【００１１】
［５］前記ノズル駆動手段（４００）は、前記洗浄用ノズル（４０）と共に移動可能なナット部材（４１０）と、当該ナット部材（４１０）が螺合し、前記ノズル機構（３０）の本体に支持され、前記ナット部材（４１０）に対して相対的に回転することにより、前記洗浄用ノズル（４０）を所定位置に駆動可能にしたスクリュー部材（４２０）とを備え、前記クラッチ手段（６００）のクラッチ部材（６１０）は、前記洗浄用ノズル（４０）と一体的に形成されていることを特徴とする［４］に記載の衛生洗浄装置（１０）におけるノズル機構（３０）。
【手続補正８】
【補正対象書類名】明細書
【補正対象項目名】００１２
【補正方法】変更
【補正の内容】
【００１２】
［６］前記第１動力伝達軸（４３０）と一体的に回転する第１ギア（４４０）と、前記第２動力伝達軸（５３０）と一体的に回転する第２ギア（５４０）とを備え、前記第１ギア（４４０）と前記第２ギア（５４０）とは、相互に噛合して、前記第２動力伝達経路を構成可能なものであることを特徴とする［２］、［３］、［４］または［５］に記載の衛生洗浄装置（１０）におけるノズル機構（３０）。
【手続補正９】
【補正対象書類名】明細書
【補正対象項目名】００１３
【補正方法】変更
【補正の内容】
【００１３】
［７］前記流路切替弁（５０）は、前記洗浄用ノズル（４０）内に形成された複数の水路（４５〜４７）に水または温水を切り替えて送出可能なものであって、１または２以上の通水孔（５１ａ〜５５ａ）がそれぞれ形成されたステータ（５１）と、ロータ（５５）とを有し、前記第２動力伝達軸（５３０）は、前記ロータ（５５）および前記ステータ（５１）の各所定の通水孔（５１ａ〜５５ａ）を合わせるべく前記ロータ（５５）を所定の角度位置に回動するものであることを特徴とする［２］、［３］、［４］、［５］または［６］に記載の衛生洗浄装置（１０）におけるノズル機構（３０）。
【手続補正１０】
【補正対象書類名】明細書
【補正対象項目名】００１４
【補正方法】変更
【補正の内容】
【００１４】
［８］前記第１動力伝達軸（４３０）と一体的に回転する第１ギア（４４０）と、前記第２動力伝達軸（５３０）と一体的に回転する第２ギア（５４０）とは、相互に噛合していて、前記第２動力伝達経路を構成可能なものであり、前記第２ギア（５４０）は、前記ロータ（５５）の角度位置を検出する際に用いられる被検出部（５４１）を有していることを特徴とする［７］に記載の衛生洗浄装置（１０）におけるノズル機構（３０）。